(57)【特許請求の範囲】
【請求項１】
被験者の呼気に含まれる所定の成分を検出する検出器を有する呼気検査装置であって、
車両状態を取得し、該取得した車両状態が運転者の降車を示す場合に、室内調整手段の作動開始条件が成立したことを検知する開始条件検知手段と、
前記開始条件検知手段により作動開始検知条件が成立したことが検知されたときに、室内の環境を予め定められた所定の環境となるように調整する室内調整手段と、
前記所定の環境に調整された室内において、前記検出器を使用して、前記所定の成分を検出するための検査を行う検査手段と、を有することを特徴とする呼気検査装置。
【請求項２】
請求項１に記載の呼気検査装置であって、
前記車両状態が運転者の降車を示す場合とは、エンジンが停止し、その後、車両ドアがロックされた場合である、
呼気検査装置。
【請求項３】
前記室内調整手段は、前記室内の除湿を行う除湿手段を有することを特徴とする請求項１又は２記載の呼気検査装置。
【請求項４】
前記室内調整手段は、前記室内の冷房を行う冷房手段を有することを特徴とする請求項１乃至３のいずれか１項記載の呼気検査装置。
【請求項５】
前記室内調整手段は、前記室内に、前記被験者の喉又は／及び鼻の粘膜を刺激する物質を拡散させる刺激物質拡散手段を有することを特徴とする請求項１乃至４のいずれか１項記載の呼気検査装置。
【請求項６】
前記所定の成分は、アルコールであることを特徴とする請求項１乃至５のいずれか１項記載の呼気検査装置。
【請求項７】
被験者の呼気に含まれる所定の成分を検出する検出器を有する呼気検査装置であって、
当該呼気検査装置による検査を行う場合に、前記被験者の体に刺激を与え、該被験者の呼気量を増加させるように、該検査を行う室内の環境を調整する室内調整手段と、
前記被験者に対し、前記室内で、前記検出器を使用して、前記所定の成分を検出するための検査を行う検査手段と、を有し、
前記室内調整手段は、前記室内に、前記被験者の喉又は／及び鼻の粘膜を刺激する物質を拡散させる刺激物質拡散手段を有することを特徴とする呼気検査装置。
【請求項８】
被験者の呼気に含まれる所定の成分を検出する検出器を有する呼気検査装置の呼気検査方法であって、
前記呼気検査装置による検査を行う場合に、前記被験者の体に刺激を与え、該被験者の呼気量を増加させるように、該検査を行う室内の環境を調整する室内調整手順と、
前記被験者に対し、前記室内で、前記検出器を使用して、前記所定の成分を検出するための検査を行う検査手順と、を有することを特徴とする呼気検査方法。
【請求項９】
前記室内調整手順は、前記室内の除湿を行う除湿手順を有することを特徴とする請求項８記載の呼気検査方法。
【請求項１０】
前記室内調整手順は、前記室内の冷房を行う冷房手順を有することを特徴とする請求項８又は９記載の呼気検査方法。
【請求項１１】
前記室内調整手順は、前記室内に、前記被験者の喉又は／及び鼻の粘膜を刺激する物質を拡散させる刺激物質拡散手順を有することを特徴とする請求項８乃至１０のいずれか１項記載の呼気検査方法。
【請求項１２】
前記所定の成分は、アルコールであることを特徴とする請求項８乃至１１のいずれか１項記載の呼気検査方法。
【請求項１３】
前記室内は、前記被験者が運転する車両の室内であることを特徴とする請求項８乃至１２のいずれか１項記載の呼気検査方法。
【発明の詳細な説明】
【技術分野】
【０００１】
本発明は、特定の状態にした検査室内において、被験者の呼気からアルコールを検出する技術に関する。
【背景技術】
【０００２】
交通事故は、周知のごとく大きな社会問題となっているが、交通事故の中でも飲酒運転による事故が多発しており、ドライバーのモラル低下が指摘されている。
【０００３】
これに対し、ドライバーの飲酒運転をチェックする技術としては、ドライバーの呼気に含まれるアルコール濃度を検出し、ドライバーの飲酒状態を判定するものがある（特許文献１）。
【特許文献１】特開２００４−１４８９５０号公報
【発明の開示】
【発明が解決しようとする課題】
【０００４】
しかしながら、上記技術においては、被験者が検査装置に入力した呼気に基づき、当該呼気に含まれるアルコールを検出するという形態であるため、被験者であるドライバーの健康状態や、老齢状態などの個人差によって、十分な呼気量を検査装置に入力できず、飲酒状態の検出精度が低下するおそれがあるという問題点があった。
【０００５】
そこで、本発明では、上記問題点に鑑み、被験者が検査装置に入力する呼気量を増加させ、当該呼気に含まれる成分の検出精度を改善した呼気検査装置、呼気検査方法を提供することを目的とする。
【課題を解決するための手段】
【０００６】
本発明に係る呼気検査装置では、被験者の呼気に含まれる所定の成分を検出する検出器を有する呼気検査装置であって、当該呼気検査装置による検査を行う場合に、前記被験者の体に刺激を与え、該被験者の呼気量を増加させるように、該検査を行う室内の環境を調整する室内調整手段と、前記被験者に対し、前記室内で、前記検出器を使用して、前記所定の成分を検出するための検査を行う検査手段と、を有することを特徴とする。
【０００７】
また、本発明に係る呼気検査装置の一形態では、前記室内調整手段は、前記室内の除湿を行う除湿手段を有することを特徴とする。
【０００８】
また、本発明に係る呼気検査装置の一形態では、前記室内調整手段は、前記室内の冷房を行う冷房手段を有することを特徴とする。
【０００９】
また、本発明に係る呼気検査装置の一形態では、前記室内調整手段は、前記室内に、前記被験者の喉又は／及び鼻の粘膜を刺激する物質を拡散させる刺激物質拡散手段を有することを特徴とする。
【００１０】
また、本発明に係る呼気検査装置の一形態では、前記所定の成分は、アルコールであることを特徴とする。
【００１１】
また、本発明に係る呼気検査装置の一形態では、前記室内は、前記被験者が運転する車両の室内であることを特徴とする。
【００１２】
従って、本発明では、被験者が検査装置に入力する呼気量を増加させ、当該呼気に含まれる成分の検出精度を改善した呼気検査装置を提供することができる。
【発明の効果】
【００１３】
本発明では、被験者が検査装置に入力する呼気量を増加させ、当該呼気に含まれる成分の検出精度を改善した呼気検査装置、呼気検査方法を提供する。
【発明を実施するための最良の形態】
【００１４】
図面を参照しながら、本発明を実施するための最良の形態について説明する。
【００１５】
（本実施の形態に係る呼気検査装置の動作原理）
図１を用いて、本実施の形態に係る呼気検査装置の動作原理について説明する。図１は、本実施の形態に係る呼気検査装置１００の動作原理を示す図である。
【００１６】
図１に示すように、呼気検査装置１００は、車両３００の一部を構成する装置である。また、車両３００は、呼気検査装置１００以外にも、車両３００の走行動力源であるエンジン３１０、エンジン３１０が停止したことを検知するエンジン停止検知センサ３３０、車両３００からの降車及び車両３００への乗車の際に使用するドア３２０、ドア３２０が施錠又は解錠されたことを検知するドアロックセンサ３４０、車両３００の室内の環境を調整する空調装置３５０を有する。
【００１７】
呼気検査装置１００は、開始条件検知手段１０５、室内環境調整手段１１０、検査手段１３０、飲酒状態判定手段１４０、出力手段１５０、アルコール検出器２５０を有する。
【００１８】
開始条件検知手段１０５は、エンジン停止検知センサ３３０の検知結果と、ドアロックセンサ３４０の検知結果とを取得し、これらの検知結果に基づいて、車両３００の室内の除湿を開始する条件を検知する。
【００１９】
また、開始条件検知手段１０５は、同様にして、車両３００の室内の冷房を開始する条件を検知する。さらに、開始条件検知手段１０５は、同様にして、車両３００の室内に、人間の喉又は鼻の粘膜を刺激する物質の拡散を開始する条件を検知する。
【００２０】
ここで、上記の開始する条件とは、車両３００のエンジン３１０が停止した後に、車両３００のドア３２０がロックされたこと、つまり、運転者が車両３００から降車したことである。
【００２１】
従って、開始条件検知手段１０５は、車両３００のエンジン３１０が停止し、運転者が車両３００から降車したことを検知する。
【００２２】
ただし、上記の開始する条件は、上記で述べた条件に限らず、適宜設定できるものとする。例えば、一定周期で到来する時刻をもって、開始する条件とする形態でも良いし、運転者が特定の開始操作をしたことをもって、開始する条件とする形態でも良い。
【００２３】
室内環境調整手段１１０は、冷房手段１１５、除湿手段１２０、刺激物質拡散手段１２５を有する。
【００２４】
室内環境調整手段１１０は、呼気検査装置１００による検査を行う場合に、被験者である運転者の体に刺激を与え、呼気量を増加させるように、空調装置３５０を使用して、検査を行う室内の環境を調整する。
【００２５】
除湿手段１２０は、呼気検査装置１００による検査を行う場合に、当該検査を行う車両３００の室内を除湿する。
【００２６】
また、除湿手段１２０の一形態では、開始条件検知手段１０５により除湿を開始する条件が検知された場合に、空調装置３５０に対し、車両３００の室内の除湿を行うよう要求する。その除湿要求に対応して、空調装置３５０は、車両３００の室内の除湿を行う。
【００２７】
さらに、除湿手段１２０は、空調装置３５０に対し、車両３００の室内の湿度を所定の湿度以下に保つように要求する。当該要求に対し、空調装置３５０は、車両３００の室内の湿度を所定の湿度以下に保つように室内の除湿を行う。
【００２８】
ここで、所定の湿度とは、例えば、３０％でも良いし、２０％でも良く、適宜定めることができるものとする。
【００２９】
また、本実施の形態においては、除湿手段１２０は、車両３００の室内を除湿する形態を説明しているが、本発明の趣旨では、除湿を行うのは室内であれば足り、除湿を行う対象は車両３００の室内に限られない。
【００３０】
冷房手段１１５は、呼気検査装置１００による検査を行う場合に、当該検査を行う車両３００の室内の冷房を行う。
【００３１】
また、冷房手段１１５の一形態では、開始条件検知手段１０５により冷房を開始する条件が検知された場合に、空調装置３５０に対し、車両３００の室内の冷房を行うよう要求する。その冷房要求に対応して、空調装置３５０は、車両３００の室内の冷房を行う。
【００３２】
また、本実施の形態においては、冷房手段１１５は、車両３００の室内を冷房する形態を説明しているが、本発明の趣旨では、冷房を行うのは室内であれば足り、冷房を行う対象は車両３００の室内に限られない。
【００３３】
刺激物質拡散手段１２５は、呼気検査装置１００による検査を行う場合に、当該検査を行う車両３００の室内に、被験者である車両３００の運転者の喉又は鼻の粘膜を刺激する物質を拡散させる。
【００３４】
また、刺激物質拡散１２０の一形態では、開始条件検知手段１０５により当該拡散を開始する条件が検知された場合に、空調装置３５０に対し、車両３００の室内に当該刺激物質を拡散するよう要求する。その要求に対応して、空調装置３５０は、車両３００の室内に当該刺激物質の拡散を行う。
【００３５】
また、本実施の形態においては、刺激物質拡散手段１２５は、車両３００の室内に刺激物質を拡散させる形態を説明しているが、本発明の趣旨では、刺激物質を拡散させるのは室内であれば足り、当該拡散を行う場所は車両３００の室内に限られない。
【００３６】
検査手段１３０は、室内において、被験者の呼気に含まれる所定の成分を検出する検出器を用いて、検査を行う。
【００３７】
また、検査手段１３０の一形態では、車両３００の運転者に対し、車両３００の室内で、アルコール検出器２５０を使用して、呼気に含まれるアルコールを検出するための検査を行う。
【００３８】
当該検査は、アルコール検出器２５０に向かって、被験者である車両３００の運転者が、自らの呼気を吹き掛けることによって実施する。
【００３９】
また、車両３００の室内は、除湿手段１２０によって除湿され、低湿度状態となっているため、運転者の咳、くしゃみを誘発し易い。従って、運転者が、咳、くしゃみを伴って、上記呼気の吹き掛けをおこなった場合、アルコール検出器２５０へ入力される呼気量が増大し、呼気に含まれるアルコールの検出精度が相対的に高くなることが期待できる。
【００４０】
一方、車両３００の室内は、冷房手段１１５による冷房が行われ、低温度状態となっているため、運転者の咳、くしゃみを誘発し易い。従って、運転者が、咳、くしゃみを伴って、上記呼気の吹き掛けをおこなった場合、アルコール検出器２５０へ入力される呼気量が増大し、呼気に含まれるアルコールの検出精度が相対的に高くなることが期待できる。
【００４１】
他方、車両３００の室内では刺激物質拡散手段１２５による刺激物質の拡散が行われ、被験者である運転者の喉や鼻の粘膜を刺激する刺激物質が多く浮遊する状態となっているため、運転者の咳、くしゃみを誘発し易い。従って、運転者が、咳、くしゃみを伴って、上記呼気の吹き掛けをおこなった場合、アルコール検出器２５０へ入力される呼気量が増大し、呼気に含まれるアルコールの検出精度が相対的に高くなることが期待できる。
【００４２】
また、本実施の形態では、アルコール検出器２５０を用いた、運転者の呼気に含まれるアルコール検出について説明をしているが、被験者の呼気に含まれる他成分の検出を行う場合にも、本発明は適用することができる。
【００４３】
また、当該呼気検査装置１００の検出精度を向上させる手段は、上記で述べた手段に限られることなく、被験者である運転者を擽ること、当該運転者を驚かせること、大気中の酸素量を減少させ、当該運転者の呼吸を一時的に制限すること等により、検査時の呼気量を増やす形態としても良い。つまり、当該呼気検査装置１００の検出精度を向上させる手段は、被験者である運転者の体に刺激を与え、それによる当該運転者の体の反射を促し、検査時の呼気量を増やす形態であれば良い。
【００４４】
また、検査時の呼気量を増やす形態とは、単位時間当たりの呼気量を増大させることである。
【００４５】
飲酒状態判定手段１４０は、検査手段１３０の検査結果に基づいて、車両３００の運転者が飲酒状態にあるのか否かを判定する。
【００４６】
出力手段１５０は、飲酒状態判定手段１４０により判定された結果を出力する。例えば、出力手段１５０は、車両３００の運転者が飲酒状態にあるという飲酒状態判定手段１４０の判定結果を、車両３００の走行動力源であるエンジン３１０の制御装置に出力し、その際、当該制御装置はエンジン３１０の点火を行わないようにする等の実施形態が考えられる。他の形態としては、呼気検査装置１００の表示装置に、判定結果に係る情報を表示することも考えられる。
【００４７】
以下で、本実施の形態に係る呼気検査装置１００の処理動作の流れについて説明する。
【００４８】
ここでは、呼気検査装置１００がエンジン３１０の停止と運転者の降車とを検知した後、車両室内の除湿を行い、再び、当該運転者が乗車した際に、低い湿度に保たれた車両室内でアルコール検査を実施する処理について説明することとする。なお、本説明において、低い湿度とは２０％とする。
【００４９】
まず、開始条件検知手段１０５が、エンジン停止検知センサ３３０によるエンジン３１０の停止状態を検知した結果を取得した後、ドアロックセンサ３４０によるドア３２０が施錠状態を検知した結果を取得し、車両３００の運転者の降車を検知する。
【００５０】
開始条件検知手段１０５が運転者の降車を検知した後、除湿手段１２０が空調装置３５０に対し、車両３００の室内を湿度２０％以下に保つように要求する。それに対し、空調装置３５０が車両３００の室内を湿度２０％以下に保つように除湿を行う。
【００５１】
そして、運転者が車両３００に再び乗車した際に、検査手段１３０が当該運転者に対し、アルコール検出器２５０を使用して、呼気からアルコールを検出するための検査を実施する。
【００５２】
次に、飲酒状態判定手段１４０が検査手段１３０による検査結果に基づき、当該運転者が飲酒状態にあるか否かを判定し、出力手段１５０が飲酒状態判定手段１４０の判定結果を、例えば、エンジン３１０の制御装置に出力する。
【００５３】
上記のように、低湿度状態にある室内で、被験者である運転者に咳、くしゃみを誘発させ、アルコール検出器２５０に入力させる呼気量を増大させることができるため、アルコール検出器２５０による呼気に含まれるアルコールの検出精度を向上させることができる。
【００５４】
次に、呼気検査装置１００がエンジン３１０の停止と運転者の降車とを検知した後、車両室内の冷房を行い、再び、当該運転者が乗車した際に、低い温度に保たれた車両室内でアルコール検査を実施する処理について説明することとする。なお、本説明において、低い温度とは１０℃とする。
【００５５】
まず、開始条件検知手段１０５が、エンジン停止検知センサ３３０によるエンジン３１０の停止状態を検知した結果を取得した後、ドアロックセンサ３４０によるドア３２０が施錠状態を検知した結果を取得し、車両３００の運転者の降車を検知する。
【００５６】
開始条件検知手段１０５が運転者の降車を検知した後、冷房手段１１５が空調装置３５０に対し、車両３００の室内温度を１０℃に保つように要求する。それに対し、空調装置３５０が車両３００の室内温度を１０℃に保つように冷房を行う。
【００５７】
そして、運転者が車両３００に再び乗車した際に、検査手段１３０が当該運転者に対し、アルコール検出器２５０を使用して、呼気からアルコールを検出するための検査を実施する。
【００５８】
次に、飲酒状態判定手段１４０が検査手段１３０による検査結果に基づき、当該運転者が飲酒状態にあるか否かを判定し、出力手段１５０が飲酒状態判定手段１４０の判定結果を、例えば、エンジン３１０の制御装置に出力する。
【００５９】
上記のように、低温状態にある室内で、被験者である運転者に咳、くしゃみを誘発させ、アルコール検出器２５０に入力させる呼気量を増大させることができるため、アルコール検出器２５０による呼気に含まれるアルコールの検出精度を向上させることができる。
【００６０】
最後に、呼気検査装置１００がエンジン３１０の停止と運転者の降車とを検知した後、車両室内に刺激物質を拡散させ、再び、当該運転者が乗車した際に、刺激物質が拡散された車両室内でアルコール検査を実施する処理について説明することとする。
【００６１】
まず、開始条件検知手段１０５が、エンジン停止検知センサ３３０によるエンジン３１０の停止状態を検知した結果を取得した後、ドアロックセンサ３４０によるドア３２０が施錠状態を検知した結果を取得し、車両３００の運転者の降車を検知する。
【００６２】
開始条件検知手段１０５が運転者の降車を検知した後、刺激物質拡散手段１２５が空調装置３５０に対し、車両３００の室内に刺激物質を拡散させるように要求する。それに対し、空調装置３５０が車両３００の室内に刺激物質を拡散させる。
【００６３】
そして、運転者が車両３００に再び乗車した際に、検査手段１３０が当該運転者に対し、アルコール検出器２５０を使用して、呼気からアルコールを検出するための検査を実施する。
【００６４】
次に、飲酒状態判定手段１４０が検査手段１３０による検査結果に基づき、当該運転者が飲酒状態にあるか否かを判定し、出力手段１５０が飲酒状態判定手段１４０の判定結果を、例えば、エンジン３１０の制御装置に出力する。
【００６５】
上記のように、人間の喉や鼻の粘膜を刺激する刺激物質が浮遊する室内で、被験者である運転者に咳、くしゃみを誘発させ、アルコール検出器２５０に入力させる呼気量を増大させることができるため、アルコール検出器２５０による呼気に含まれるアルコールの検出精度を向上させることができる。
【００６６】
従って、本発明では、被験者が検査装置に入力する呼気量を増加させ、当該呼気に含まれる成分の検出精度を改善した呼気検査装置を提供することができる。
【００６７】
（本実施の形態に係る呼気検査装置のハードウェア構成）
図２を用いて、本実施の形態に係る呼気検査装置のハードウェア構成について説明する。図２は、本実施の形態に係る呼気検査装置１００のハードウェア構成の一例である。
【００６８】
呼気検査装置１００は、ＣＰＵ（Ｃｅｎｔｒａｌ  Ｐｒｏｃｅｓｓｉｎｇ  Ｕｎｉｔ）２１０、ＲＯＭ（Ｒｅａｄ−Ｏｎｌｙ  Ｍｅｍｏｒｙ）２２０、ＲＡＭ（Ｒａｍｄｏｍ  Ａｃｃｅｓｓ  Ｍｅｍｏｒｙ）２３０、ＨＤＤ（Ｈａｒｄ  Ｄｉｓｋ  Ｄｒｉｖｅ）２４０、アルコール検出器２５０、表示装置２６０、外部装置Ｉ／Ｆ（ＩｎｔｅｒＦａｃｅ）２７０を有する。
【００６９】
ＣＰＵ２１０は、ＲＯＭ２２０に記憶されたプログラムを実行する装置で、ＲＡＭ２３０に展開（ロード）されたデータを、プログラムの命令に従って演算処理し、呼気検査装置１００の全体を制御する。
【００７０】
ＲＯＭ２２０は、ＣＰＵ２１０が実行するプログラムやデータを記憶している。
【００７１】
ＲＡＭ２３０は、ＣＰＵ２１０でＲＯＭ２２０に記憶されたプログラムを実行する際に、実行するプログラムやデータが展開（ロード）され、演算の間、演算データを一時的に保持する。
【００７２】
ＨＤＤ２４０は、基本ソフトウェアであるＯＳ（Ｏｐｅｒａｔｉｎｇ  Ｓｙｓｔｅｍ）、本実施の形態に係るアプリケーションプログラムなどを、関連するデータとともに記憶する装置である。
【００７３】
アルコール検出器２５０は、半導体アルコールセンサの出力に基づいて、入力された呼気に含まれるアルコール濃度に応じたレベルの検出信号を出力する装置である。半導体アルコールセンサは、酸化錫半導体等の電気伝導度が、その半導体表面に吸着したアルコール分子の量に応じて上昇する性質を利用し、呼気中のアルコール濃度に応じた電圧を出力するように構成されている。他の実施例において当該アルコール検出器２５０は、被験者の呼気に基づき、所定の成分を検出する装置とする形態でも良い。
【００７４】
表示装置２６０は、ハードキーによるキースイッチとＬＣＤ（Ｌｉｑｕｉｄ  Ｃｒｙｓｔａｌ  Ｄｉｓｐｌａｙ）とから構成され、呼気検査装置１００が有する機能をユーザが利用する際に、各種設定を行うなどのユーザインタフェースとして機能する装置である。
【００７５】
外部装置Ｉ／Ｆ２７０は、各種のセンサや制御装置から構成される外部装置と情報（データ）をやり取りするためのインタフェースである。本実施の形態では、外部装置Ｉ／Ｆ２７０を介し、エンジン停止検知センサ３３０、ドアロックセンサ３４０、空調装置３５０などとデータの送受信を行う。
【００７６】
以下で、呼気検査装置１００の動作処理について、上記で説明したハードウェアとの関連を含めて、説明する。ただし、各手段は、ＣＰＵ２１０が、ＲＯＭ２２０又はＨＤＤ２４０に記憶された各手段に対応するプログラムを実行することにより実現されるため、この点に関しては説明を省略する。
【００７７】
ここでは、呼気検査装置１００がエンジン３１０の停止と運転者の降車を検知した後、車両室内の除湿を行い、再び、当該運転者が乗車するときに、低い湿度に保たれた車両室内でアルコール検査を実施する処理について説明することとする。本説明において、低い湿度とは２０％とする。
【００７８】
まず、開始条件検知手段１０５がエンジン停止検知センサ３３０によるエンジン３１０の停止状態を検知した結果を、外部装置Ｉ／Ｆ２７０を介して取得した後、ドアロックセンサ３４０によるドア３２０が施錠状態を検知した結果を外部装置Ｉ／Ｆ２７０を介して取得し、車両３００の運転者の降車を検知する。
【００７９】
開始条件検知手段１０５が運転者の降車を検知した後、除湿手段１２０が外部装置Ｉ／Ｆ２７０を介して空調装置３５０に対し、車両３００の室内を湿度２０％以下に保つように要求する。それに対応して、空調装置３５０が車両３００の室内を湿度２０％以下に保つように除湿を行う。
【００８０】
そして、運転者が車両３００に再び乗車した際に、検査手段１３０が当該運転者に対し、アルコール検知機２５０を使用して、呼気からアルコールを検出するための検査を実施する。
【００８１】
次に、飲酒状態判定手段１４０が検査手段１３０による検査結果に基づき、当該運転者が飲酒状態にあるか否かを判定し、出力手段１５０が飲酒状態判定手段１４０の判定結果を外部装置Ｉ／Ｆ２７０を介して、例えば、エンジン３１０の制御装置に出力する。
【００８２】
また、上記の除湿手段１２０による処理を、冷房手段１１５又は刺激物質拡散手段１２５による処理で代用する形態としても良い。
【００８３】
（本実施の形態に係る呼気検査装置の動作処理）
図３を用いて、本実施の形態に係る呼気検査装置の処理の流れについて説明する。図３は、本実施の形態に係る呼気検査装置１００の処理の流れを示すフローチャートである。
【００８４】
Ｓ１で呼気検査装置１００は処理を開始する。
【００８５】
Ｓ２でエンジン停止検知センサ３３０がエンジン３１０の停止を検知し、その旨の情報を開始条件検知手段１１０に通知する。
【００８６】
Ｓ３でドアロックセンサ３４０がドア３２０の施錠を検知し、その旨の情報を開始条件検知手段１０５に通知する。
【００８７】
Ｓ４で開始条件検知手段１０５がエンジン停止検知センサ３３０によるエンジン３１０の停止を検知した旨の情報を取得した後に、ドアロックセンサ３４０によるドア３２０の施錠を検知した旨の情報を取得し、運転者が車両３００から降車したことを検知する。
【００８８】
Ｓ５で開始条件検知手段１０５が運転者の降車を検知した後に、除湿手段１２０が外部装置Ｉ／Ｆ２７０を介して、空調装置３５０に対し、車両３００の室内の湿度を２０％以下に保つように要求を通知する。それに対応し、空調装置３５０が車両３００の室内の湿度を２０％以下に保つよう除湿を行う。
【００８９】
Ｓ６でドアロックセンサ３４０がドア３２０の解錠を検知し、その旨の情報を呼気検査装置１００に通知する。
【００９０】
Ｓ７で呼気検査装置１００はドアロックセンサ３４０によるドア３２０の解錠を検知した旨の情報を取得し、運転者が車両３００に再び乗車したことを検知する。
【００９１】
Ｓ８で検査手段１３０がアルコール検出装置１５０を使用して、車両３００の運転者の呼気に含まれるアルコールを検出するための検査を行う。
【００９２】
Ｓ９で飲酒状態判定手段１４０が検査手段１３０による検査結果に基づき、運転者が飲酒状態であるか否かを判定し、飲酒状態であると判定した場合（Ｓ９でＹｅｓの場合）、Ｓ１０で出力手段１５０が運転者は飲酒状態である旨の情報をエンジン３１０の制御装置に通知し、その通知を受けたエンジン３１０の制御装置はエンジン３１０をオン状態にしない制御を行う。
【００９３】
Ｓ９で飲酒状態判定手段１４０が検査手段１３０による検査結果に基づき、運転者が飲酒状態であるか否かを判定し、飲酒状態ではないと判定した場合（Ｓ９でＮｏの場合）、Ｓ１１で呼気検査装置１００は処理を終了する。
【００９４】
上記のように、低湿度状態にある室内で、被験者である運転者に咳、くしゃみを誘発させ、アルコール検出器２５０に入力させる呼気量を増大させることができるため、アルコール検出器２５０によるアルコールの検出精度を向上させることができる。
【００９５】
（本実施の形態に係る呼気検査装置の動作処理の変形例）
本実施の形態に係る呼気検査装置１００の動作処理の変形例について説明する。
【００９６】
ここでは、上記説明の除湿手段１２０により車室内を除湿する処理に代えて、冷房手段１１５により車室内を冷房する処理について説明する。また、冷房手段１１５により車室内の温度は１０℃に保たれることとする。
【００９７】
なお、Ｓ１〜Ｓ４及びＳ６〜Ｓ１１の動作処理は、上記説明と同じであるため、ここでの説明は省略する。
【００９８】
Ｓ５で開始条件検知手段１０５が運転者の降車を検知した後に、冷房手段１１５が外部装置Ｉ／Ｆ２７０を介して、空調装置３５０に対し、車両３００の室内の温度を１０℃に保つように要求を通知する。それに対応し、空調装置３５０が車両３００の室内の温度を１０℃に保つよう冷房を行う。
【００９９】
上記のように、低温度状態にある室内で、被験者である運転者に咳、くしゃみを誘発させ、アルコール検出器２５０に入力させる呼気量を増大させることができるため、アルコール検出器２５０によるアルコールの検出精度を向上させることができる。
【０１００】
さらに、上記説明の除湿手段１２０により車室内を除湿する処理に代えて、刺激物質拡散手段１２５により車室内に刺激物質を拡散させる処理について説明する。
【０１０１】
なお、Ｓ１〜Ｓ４及びＳ６〜Ｓ１１の動作処理は、上記説明と同じであるため、ここでの説明は省略する。
【０１０２】
Ｓ５で開始条件検知手段１０５が運転者の降車を検知した後に、刺激物質拡散手段１２５が外部装置Ｉ／Ｆ２７０を介して、空調装置３５０に対し、車両３００の室内に被験者である運転者の喉又は鼻の粘膜を刺激するような刺激物質を拡散させるように要求を通知する。それに対応し、空調装置３５０が、車両３００の室内に当該刺激物質を拡散させる。
【０１０３】
上記のように、刺激物質が浮遊する室内で、被験者である運転者に咳、くしゃみを誘発させ、アルコール検出器２５０に入力させる呼気量を増大させることができるため、アルコール検出器２５０によるアルコールの検出精度を向上させることができる。
【０１０４】
（総括）
従って、本発明では、被験者が検査装置に入力する呼気量を増加させ、当該呼気に含まれる成分の検出精度を改善した呼気検査装置を提供することができる。
【０１０５】
以上、本発明の実施の形態について詳述したが、本発明は係る特定の実施の形態に限定されるものではなく、特許請求の範囲に記載された本発明の要旨の範囲において、種々の変形・変更が可能である。
【図面の簡単な説明】
【０１０６】
【図１】本実施の形態に係る呼気検査装置の動作原理を示す図である。
【図２】本実施の形態に係る呼気検査装置のハードウェア構成の一例を示す図である。
【図３】本実施の形態に係る呼気検査装置の処理の流れを示すフローチャートである。
【符号の説明】
【０１０７】
１００  呼気検査装置
１０５  開始条件検知手段
１１０  室内空調手段
１１５  冷房手段
１２０  除湿手段
１２５  刺激物質拡散手段
１３０  検査手段
１４０  飲酒状態判定手段
１５０  出力手段
２１０  ＣＰＵ
２２０  ＲＯＭ
２３０  ＲＡＭ
２４０  ＨＤＤ
２５０  アルコール検出装置
２６０  表示装置
２７０  外部装置Ｉ／Ｆ
３００  車両
３１０  エンジン
３２０  ドア
３３０  エンジン停止検知センサ
３４０  ドアロック検知センサ
３５０  空調装置
【図１】
0005136118.tif 000002
【図２】
0005136118.tif 000003
【図３】
0005136118.tif 000004